(57)【特許請求の範囲】
【請求項１】
天井スラブに固定されるようになされた吊り部材と、流体流通部を有する輻射パネルに設けられた係合部とを備え、かつ輻射パネルを天井スラブに吊持する装置であって、
輻射パネルが、帯状の水平部分と、水平部分の両側縁にそれぞれ一体に形成されかつ外方に向かって下方に傾斜した傾斜部分とよりなり、輻射パネルの水平部分の上面に、輻射パネルの長さ方向に伸びる１対の保持部形成用凸条が上方突出状に形成され、両保持部形成用凸条の両端部が、それぞれ所定長さにわたって外側に折り曲げられて平坦となるように潰され、両保持部形成用凸条における平坦となるように潰された部分を除いた部分により横断面略Ｕ字状の管保持部が形成されるとともに、管保持部内に蛇行状流体流通管の直管部が嵌め入れられて固定されるようになされ、管保持部の両保持部形成用凸条の外側面に、それぞれ外方に突出した係合部が設けられ、
吊り部材が互いに対向する１対の脚部と、両脚部の上端どうしを連結する連結部とよりなり、吊り部材の各脚部の下端部に内方に突出しかつ輻射パネルの係合部に係合する係合つめが設けられている輻射パネル吊持装置。
【請求項２】
両脚部の係合つめの先端間の間隔が、輻射パネルの係合部の先端間の間隔よりも狭くなっている請求項１記載の輻射パネル吊持装置。
【請求項３】
係合つめの内側面および係合部の外側面が、それぞれ下方に向かって側方に傾斜している請求項２記載の輻射パネル吊持装置。
【請求項４】
天井スラブに設けられた横材に、請求項１〜３のうちのいずれかに記載の輻射パネル吊持装置の吊り部材が固定されるようになっている輻射冷暖房ユニット。
【請求項５】
天井スラブに設けられた横材に、請求項１〜３のうちのいずれかに記載の輻射パネル吊持装置の吊り部材が、横材の長さ方向に間隔をおいて複数固定されるようになっており、吊り部材と同数の輻射パネルが、その長さ方向が横材と直交する方向を向いた状態で横材の長さ方向に並んで配置され、各輻射パネルの係合部が各吊り部材の係合つめに係合させられるようになっている輻射冷暖房ユニット。
【請求項６】
蛇行状流体流通管の直管部が、輻射パネルの管保持部内に嵌め入れられて固定され、蛇行状流体流通管の屈曲管部が、輻射パネルの両端よりも内側に位置している請求項５記載の輻射冷暖房ユニット。
【請求項７】
蛇行状流体流通管が合成樹脂製である請求項６記載の輻射冷暖房ユニット。
【請求項８】
蛇行状流体流通管が金属製である請求項６記載の輻射冷暖房ユニット。
【請求項９】
蛇行状流体流通管の内外両周面のうち少なくともいずれか一方が合成樹脂層により覆われている請求項８記載の輻射冷暖房ユニット。
【請求項１０】
請求項４〜９のうちのいずれかに記載の輻射冷暖房ユニットが、システム天井に複数組み込まれている輻射冷暖房装置。
【発明の詳細な説明】
【技術分野】
【０００１】
この発明は、輻射冷暖房装置に用いられる輻射パネルを天井スラブに吊持する装置に関する。
【０００２】
この明細書および特許請求の範囲において、図１および図８の上下を上下というものとする。
【背景技術】
【０００３】
最近では、冷風や温風を直接室内に吹き出す冷暖房装置に代えて、たとえば天井に組み込まれ、かつ冷輻射や熱輻射を利用してより快適に冷暖房を行いうる輻射冷暖房装置が考えられている。この輻射冷暖房装置は、加熱媒体または冷却媒体を流通させる媒体流通部を有する複数の輻射パネルが複数並べられてなる輻射冷暖房ユニットが、システム天井に組み込まれることにより構成される。
【０００４】
この種の輻射パネルとして、従来、水平部分および水平部分の両側縁に一体に形成されかつ外側方に向かって下方に湾曲した湾曲部分とよりなり、水平部分の上面に、その全長にわたる１対の凸条からなる横断面略Ｕ字状管保持部が形成され、管保持部内に媒体流通部となる流体流通管が嵌め入れられて固定されるようになされたものが知られている（特許文献１参照）。
【０００５】
特許文献１記載の輻射パネルを用いた輻射冷暖房ユニットは、特許文献１に記載されているように、互いに間隔をおいて配置された１対の支持部材間に、複数の輻射パネルが幅方向に並ぶように並列状に複数配置され、各輻射パネルの両端部にリベット止めされたフランジが支持部材に支持され、輻射パネルの管保持部内に、媒体流通部となる蛇行状流体流通管の直管部が嵌め入れられて固定され、蛇行状流体流通管の屈曲管部が、上方に曲げられて管保持部の外部に逃がされて屈曲管部が支持部材よりも輻射パネルの長さ方向の外側に突出しないようになされたものである。
【０００６】
しかしながら、特許文献１記載の輻射パネルを用いた輻射冷暖房ユニットが天井に組み込まれた場合、フランジを各輻射パネルにリベット止めするリベットが室内から見えることになるので、美観が低下するという問題がある。また、輻射パネルが両端部においてのみ支持部材に取り付けられているので、輻射パネルの長さが長くなった場合に上下方向の剛性が不足し、下方に撓むおそれがある。
【特許文献１】特開平１０−２３２０３５号公報
【発明の開示】
【発明が解決しようとする課題】
【０００７】
この発明の目的は、上記問題を解決し、天井に組み込まれる輻射冷暖房装置に使用した場合にも美観の低下を防止することができるとともに、輻射パネルを比較的簡単に天井スラブから吊持することができる輻射パネル吊持装置を提供することにある。
【課題を解決するための手段】
【０００８】
本発明は、上記目的を達成するために以下の態様からなる。
【０００９】
1)天井スラブに固定されるようになされた吊り部材と、流体流通部を有する輻射パネルに設けられた係合部とを備え、かつ輻射パネルを天井スラブに吊持する装置であって、
輻射パネルが、帯状の水平部分と、水平部分の両側縁にそれぞれ一体に形成されかつ外方に向かって下方に傾斜した傾斜部分とよりなり、輻射パネルの水平部分の上面に、輻射パネルの長さ方向に伸びる１対の保持部形成用凸条が上方突出状に形成され、両保持部形成用凸条の両端部が、それぞれ所定長さにわたって外側に折り曲げられて平坦となるように潰され、両保持部形成用凸条における平坦となるように潰された部分を除いた部分により横断面略Ｕ字状の管保持部が形成されるとともに、管保持部内に蛇行状流体流通管の直管部が嵌め入れられて固定されるようになされ、管保持部の両保持部形成用凸条の外側面に、それぞれ外方に突出した係合部が設けられ、
吊り部材が互いに対向する１対の脚部と、両脚部の上端どうしを連結する連結部とよりなり、吊り部材の各脚部の下端部に内方に突出しかつ輻射パネルの係合部に係合する係合つめが設けられている輻射パネル吊持装置。
【００１０】
2)両脚部の係合つめの先端間の間隔が、輻射パネルの係合部の先端間の間隔よりも狭くなっている上記1)記載の輻射パネル吊持装置。
【００１１】
3)係合つめの内側面および係合部の外側面が、それぞれ下方に向かって側方に傾斜している上記2)記載の輻射パネル吊持装置。
【００１２】
4)天井スラブに設けられた横材に、上記1)〜3)のうちのいずれかに記載の輻射パネル吊持装置の吊り部材が固定されるようになっている輻射冷暖房ユニット。
【００１３】
5)天井スラブに設けられた横材に、上記1)〜3)のうちのいずれかに記載の輻射パネル吊持装置の吊り部材が、横材の長さ方向に間隔をおいて複数固定されるようになっており、吊り部材と同数の輻射パネルが、その長さ方向が横材と直交する方向を向いた状態で横材の長さ方向に並んで配置され、各輻射パネルの係合部が各吊り部材の係合つめに係合させられるようになっている輻射冷暖房ユニット。
【００１４】
6)蛇行状流体流通管の直管部が、輻射パネルの管保持部内に嵌め入れられて固定され、蛇行状流体流通管の屈曲管部が、輻射パネルの両端よりも内側に位置している上記5)記載の輻射冷暖房ユニット。
【００１５】
7)蛇行状流体流通管が合成樹脂製である上記6)記載の輻射冷暖房ユニット。
【００１６】
8)蛇行状流体流通管が金属製である上記6)記載の輻射冷暖房ユニット。
【００１７】
9)蛇行状流体流通管の内外両周面のうち少なくともいずれか一方が合成樹脂層により覆われている上記8)記載の輻射冷暖房ユニット。
【００１８】
10)上記4)〜9)のうちのいずれかに記載の輻射冷暖房ユニットが、システム天井に複数組み込まれている輻射冷暖房装置。
【発明の効果】
【００１９】
上記1)〜3)の輻射パネル吊持装置によれば、たとえば天井スラブの吊りボルトに固定された横材に吊り部材を固定しておき、輻射パネルの係合部を、吊り部材の係合つめに係合させることによって、輻射パネルを天井スラブから吊持することができる。したがって、輻射パネルを有する輻射冷暖房装置を天井に組み込んだ場合、ビスが室内から見えることはなく、美観の低下を防止することができる。また、上述のようにして輻射パネルを天井スラブから吊持することができるので、その作業を比較的簡単に行うことができるとともに、輻射パネルの位置決めを正確に行うことができる。
【００２０】
上記1)〜3)の輻射パネル吊持装置によれば、たとえば天井スラブの吊りボルトに固定された横材に吊り部材を固定しておき、輻射パネルを下方から上方に押し上げることにより、輻射パネルの係合部を、吊り部材の係合つめに係合させることができるので、輻射パネルを天井スラブから吊持する際の作業性が向上する。しかも、輻射パネルの高さ方向および水平方向の位置が正確に決められるので、輻射パネルの位置ずれが防止される。
【００２１】
特に、上記2)および3)の輻射パネル吊持装置によれば、天井スラブの吊りボルトに固定された横材に吊り部材を固定しておき、輻射パネルを下方から上方に押し上げた際に、吊り部材の両脚部の係合つめが輻射パネルの係合部に押されてることにより一旦外側方に開き、吊り部材の係合つめが輻射パネルの係合部よりも下方に至ると吊り部材の弾性により閉じ、これにより吊り部材の係合つめが輻射パネルの係合部に係合する。したがって、係合つめの係合部への係合が強固に行われる。
【００２２】
上記1)〜3)の輻射パネル吊持装置によれば、次の効果を奏する。すなわち、輻射パネルには、通常、輻射パネルの長さ方向に伸びる１対の保持部形成用凸条が上方突出状に形成されるとともに、両保持部形成用凸条により横断面Ｕ字状の管保持部が形成され、加熱媒体または冷却媒体を流通させる流体流通管が管保持部内に嵌め入れられて固定されるようになっている。そして、管保持部の両保持部形成用凸条の外側面にそれぞれ係合部が設けられていると、輻射パネルの材料コストを安価にすることができる。また、係合部が、両保持部形成用凸条の外方への開きを防止する働きをするので、流体流通管の固定効果が向上する。
【００２３】
上記1)〜3)の輻射パネル吊持装置により天井スラブから吊持された輻射パネルを輻射冷暖房装置に用いた場合、輻射パネルが、水平面に対して傾斜した傾斜部分を有しているので、天井投影面積あたりの輻射パネルの面積が増大し、その結果冷暖房効率が優れたものになる。また、同じく上記輻射パネルを輻射冷房装置に用いた場合、冷房を行う際には、輻射パネルの傾斜部分の上下両面に沿って空気の流れが発生し、その結果冷輻射に加えて自然対流による冷房効果が得られる。しかも、傾斜部分の上下両面に沿う空気の流れの流速は、比較的大きくなり、空気と傾斜部分との間の熱伝達率が向上する。さらに、輻射パネル吊持装置により天井スラブから吊持された輻射パネルによれば、傾斜部分の下端から保持部形成用凸条の上端までの高さが比較的大きくなり、その結果上下方向の剛性が向上し、輻射パネルの下方への撓みを抑制することができる。
【００２４】
上記4)および5)の輻射冷暖房ユニットを有する輻射冷暖房装置を天井に組み込んだ場合、ビスが室内から見えることはなく、美観の低下を防止することができる。
【００２５】
上記6)の輻射冷暖房ユニットによれば、蛇行状流体流通管の直管部を輻射パネルの管保持部内に嵌め入れて固定すると、特許文献１記載の輻射冷暖房ユニットの場合のように、蛇行状流体流通管の屈曲管部を上方に曲げることなく、屈曲管部を両支持部材よりも内側に位置させることができる。したがって、作業性が向上する。また、屈曲管部を輻射パネルの両端よりも内側に位置させることができるので、複数の輻射冷暖房ユニットを輻射パネルの長さ方向に並べた場合、隣り合う輻射冷暖房ユニットどうしを近接して配置することができる。
【発明を実施するための最良の形態】
【００２６】
以下、この発明の実施形態を、図面を参照して説明する。なお、全図面を通じて同一部分および同一物には同一符号を付して重複する説明を省略する。
【００２７】
以下の説明において、輻射パネルの幅方向（図３および図４の左右方向）を左右といい、図１の左側（図３紙面表側）を前、右側を後というものとする。また、以下の説明において、「アルミニウム」という用語には、純アルミニウムの他にアルミニウム合金を含むものとする。
【００２８】
図１はこの発明による吊持装置を介して天井スラブに吊持された輻射パネルを有する輻射冷暖房装置を示し、図２は１つの輻射冷暖房ユニットを示す。また、図３〜図５は輻射冷暖房ユニットの要部の構成を示し、図６は輻射パネルを天井スラブに吊持させる方法を示し、図７は冷房時の空気の流れを示す。
【００２９】
図１および図２において、輻射冷暖房装置は、冷暖房すべき室内の広さに応じた適当数の輻射冷暖房ユニット(1)がシステム天井に組み込まれたものである。各輻射冷暖房ユニット(1)は、天井スラブ(2)の吊りボルト(3)に取り付けられかつ左右方向に伸びる金属製、たとえばアルミニウム製のチャンネル状横材(4)と、吊持装置(5)を介して横材(4)に吊持された複数の輻射パネル(6)と、輻射パネル(6)に固定され、かつ媒体流通部となる蛇行状流体流通管(7)とを備えている。
【００３０】
横材(4)は、前後方向に間隔をおいて複数配置されており、その上フランジ部(4a)の左右両端部が、天井スラブ(2)に垂下状に固定された吊りボルト(3)に取り付けられている。
【００３１】
図３〜図５に示すように、輻射パネル(6)は熱伝導性に優れた金属製、ここではアルミニウム押出形材製であり、前後方向に長い帯状の水平部分(8)と、水平部分(8)の左右両側縁に全長にわたって一体に形成され、かつ左右方向外方に向かって下方に傾斜した傾斜部分(9)とよりなる。傾斜部分(9)の水平部分(8)に対する下向き傾斜角度は、２５〜４０度であることが好ましい。
【００３２】
輻射パネル(6)の水平部分(8)の上面に、輻射パネル(6)の長さ方向に伸び、かつ上下方向の中間部が左右方向外方に突出した横断面円弧状となっている１対の保持部形成用凸条(11)が一体に形成されている。両保持部形成用凸条(11)の両端部は、それぞれ所定長さにわたって外側に折り曲げられて平坦となるように潰されており、両保持部形成用凸条(11)における平坦となるように潰された部分を除いた部分により、横断面略Ｕ字状の管保持部(12)が形成されている。保持部形成用凸条(11)における平坦となるように潰された部分を(11A)で示す。
【００３３】
吊持装置(5)は、横材(4)にその長さ方向に間隔をおいて固定された複数の金属製吊り部材(13)と、輻射パネル(6)に設けられた１対の係合部(14)とを備えている。
【００３４】
吊り部材(13)は横断面逆Ｕ字状で、互いに対向する１対の脚部(13a)と、両脚部(13a)の上端どうしを一体に連結する連結部(13b)とを備えており、各脚部(13a)の下端部に左右方向内方に突出した係合つめ(15)が一体に形成されている。各係合つめ(15)の左右方向内側面は、下方に向かって左右方向外方に傾斜した傾斜面となっている。吊り部材(13)は、たとえばアルミニウム押出形材を所定の長さに切断することにより形成されている。そして、吊り部材(13)は、各横材(4)に、その長さ方向に輻射パネル(6)の左右方向の幅よりも大きい間隔をおいて複数固定されている。すなわち、各吊り部材(13)の連結部(13b)が横材(4)の下部フランジ部(4b)の下面に沿わされ、連結部(13b)および下部フランジ部(4b)を貫通したボルト(16)と、ボルトの先端部にねじ嵌められたナット(17)とにより、各吊り部材(13)が横材(4)に固定されている。
【００３５】
両係合部(14)は、輻射パネル(6)の管保持部(12)の両保持部形成用凸条(11)の外側面における上下方向の中間部に、それぞれ外側方に突出するように一体に形成されている。ここで、吊り部材(13)の両係合つめ(15)の先端間の間隔は、輻射パネル(6)の両係合部(14)の先端間の間隔よりも狭くなっている。また、各係合部(14)の左右方向外側面は、下方に向かって左右方向外方に傾斜した傾斜面となっている。
【００３６】
蛇行状流体流通管(7)は横断面円形であり、各直管部(7a)の両端部を除いた部分が、塑性変形した状態で各輻射パネル(6)の管保持部(12)内に嵌め入れられて両保持部形成用凸条(11)により固定されている。すなわち、蛇行状流体流通管(7)の直管部(7a)は、元々横断面円形であったものが、管壁上部における管保持部(12)の外部に存在する部分が平坦となるとともに、管壁の他の部分が外方に膨出するように塑性変形させられている（図３参照）。直管部(7a)が、上述したように塑性変形させることにより形成されているので、両保持部形成用凸条(11)はそれぞれ左右方向外方に弾性変形させられており、この状態で直管部(7a)が管保持部(12)内に固定されている。蛇行状流体流通管(7)のＵ字状屈曲管部(7b)は、管保持部(12)の外側で、かつパネル本体の前後両端よりも前後方向内側に位置している。蛇行状流体流通管(7)は、たとえばアルミニウム、銅（銅合金を含む）、ステンレス鋼などの金属から形成される。また、上記金属からなる管の内外両周面のうちの少なくともいずれか一方が、ポリエチレンなどの耐食性に優れた合成樹脂からなる樹脂層により覆われていてもよい。
【００３７】
輻射パネル(6)の吊持装置(5)を介しての横材(4)への吊持、すなわち輻射冷暖房ユニット(1)のシステム天井への組み込みは次のようにして行われる。
【００３８】
まず、横材(4)に吊り部材(13)を固定した後、横材(4)を天井スラブ(2)の吊りボルト(3)に固定する。これとは逆に、横材(4)を天井スラブ(2)の吊りボルト(3)に固定した後、吊り部材(13)を横材(4)に固定してもよい。
【００３９】
ついで、複数の輻射パネル(6)を、その長さ方向を前後方向に向けて左右に並列状に並べ、蛇行状流体流通管(7)の直管部(7a)を管保持部(12)内に嵌め入れて固定する。
【００４０】
ついで、すべての輻射パネル(6)の管保持部(12)を、下方から吊り部材(13)の両脚部(13a)間に嵌め入れて上方に押し上げる。すると、図６に示すように、吊り部材(13)の両脚部(13a)の係合つめ(15)がパネル本体の係合部(14)に押されてることにより一旦開き、吊り部材(13)の係合つめ(15)がパネル本体の係合部(14)よりも下方に至ると吊り部材(13)の弾性により閉じ、これにより吊り部材(13)の係合つめ(15)がパネル本体の係合部(14)に係合する（図３参照）。こうして、輻射パネル(6)が吊持装置(5)を介して天井スラブ(2)に吊持され、輻射冷暖房ユニット(1)がシステム天井に組み込まれる。
【００４１】
上記輻射冷暖房装置を用いて室内を冷暖房するには、蛇行状流体流通管(7)に低温の冷却媒体または高温の加熱媒体を流す。すると、冷輻射または熱輻射により室内が冷暖房される。特に、冷房する場合には、図７に示すように、両傾斜部分(9)の上下両面に沿って空気の流れが発生し、その結果冷輻射に加えて自然対流による冷却効果が得られ、冷房効率が向上する。すなわち、輻射パネル(6)の２つの傾斜部分(9)の上面に沿って流れた空気は隣り合う輻射パネル(6)の輻射パネル(6)間の隙間を通って下方へ流れ、この流れに２つの傾斜部分(9)の下面に沿って流れた空気が合流することになり、自然対流による冷却効果が優れたものになる。しかも、傾斜部分(9)の上下両面に沿う空気の流れの流速は、水平の場合に比べて大きくなり、空気と傾斜部分(9)との間の熱伝達率が向上する。
【００４２】
上記実施形態においては、吊り部材(13)の各脚部(13a)に、左右方向内方に突出した係合つめ(15)が一体に形成され、輻射パネル(6)の管保持部(12)の各保持部形成用凸条(11)に、それぞれ左右方向外方に突出した係合部(14)が形成されているが、これに限定されるものではなく、たとえば次のような態様となっていてもよい。すなわち、図示は省略したが、吊り部材(13)の各脚部(13a)に、左右方向外方に突出した係合つめが一体に形成され、輻射パネル(6)の水平部分(8)に、前後方向に伸びる１対の上方突出部が左右方向に間隔をおいて一体に形成されるとともに、各上方突出部に左右方向内方に突出した係合部が形成されていてもよい。この場合、吊り部材(13)の両係合つめの先端間の間隔は、輻射パネル(6)の両係合部の先端間の間隔よりも広くなる。また、各係合つめの左右方向外側面は、下方に向かって左右方向内方に傾斜した傾斜面となるとともに、各係合部の左右方向内側面は、下方に向かって左右方向内方に傾斜した傾斜面となる。
【００４３】
図８〜図１０は、この発明による吊持装置を介して天井スラブに吊持された輻射パネルを有する輻射冷暖房装置の変形例を示す。
【００４４】
図８〜図１０において、輻射冷暖房ユニット(20)の輻射パネル(6)の各傾斜部分(9)の上面には、輻射パネル(6)の全長にわたって一体に形成された１対の溝形成用凸条(21)からなりかつ両端が輻射パネル(6)の両端に開口した横断面優弧状ビスねじ嵌め溝(22)が形成されている。ビスねじ嵌め溝(22)の内径は、両溝形成用凸条(21)の先端間の間隔よりも大きくなっている。
【００４５】
また、輻射冷暖房ユニット(20)のすべての輻射パネル(6)の前後両端部に跨るように、次のようにして取付部材(23)が固定されている。各取付部材(23)は金属製、ここではアルミニウム押出形材製であり、垂直壁(23a)と、垂直壁(23a)の上端に一体に形成されて輻射パネル(6)側に突出した水平壁(23b)とよりなる。そして、各取付部材(23)の垂直壁(23a)を外側から貫通したタッピングビス(24)を、輻射パネル(6)のビスねじ嵌め溝(22)にねじ嵌めることにより、各取付部材(23)がすべての輻射パネル(6)に跨って固定されている
蛇行状流体流通管(7)のＵ字状屈曲管部(7b)は、管保持部(12)の外側で、かつ取付部材(23)よりも前後方向内側に位置している。蛇行状流体流通管(7)の直管部(7a)および屈曲管部(7b)の中心線は同一水平面内に位置しており、直管部(7a)および屈曲管部(7b)は、両取付部材(23)の垂直壁(23a)の上縁よりも下方に位置している。
【００４６】
輻射冷暖房装置において、天井スラブ(2)に垂下状に固定された吊りボルト(25)にハンガー(26)が取り付けられ、前後方向に輻射パネル(6)の長さと同等の間隔をおいて複数配置されたＴバー(27)がハンガー(26)に吊持されている。そして、各輻射冷暖房ユニット(20)の取付部材(23)が、Ｔバー(27)の水平フランジ部(27a)上に載せられている。
【００４７】
また、各輻射冷暖房ユニット(20)の輻射パネル(6)の長さ方向の中間部は、上述した実施形態の場合と同様に、吊持装置(5)を介して天井スラブ(2)の吊りボルト(3)に固定された横材(4)に吊持されている。
【００４８】
図１１は、輻射冷暖房装置に用いられる輻射パネルの変形例を示す。
【００４９】
図１１において、輻射パネル(30)の水平部分(8)上面に形成された両保持部形成用凸条(11)の両端部が、それぞれ所定長さにわたって切除されており、両保持部形成用凸条(11)における残存した部分により、横断面略Ｕ字状の管保持部(12)が形成されている。その他の構成は図５に示す輻射パネル(6)と同じである。
【００５０】
この輻射パネル(6)を有する輻射冷暖房ユニット(20)は、図１〜図６に示す方法または図８〜図１０に示す方法により、システム天井に組み込まれる。
【図面の簡単な説明】
【００５１】
【図１】この発明による吊持装置を介して天井スラブに吊持された輻射パネルを有する輻射冷暖房装置を示す図である。
【図２】図１の輻射冷暖房装置に用いられる輻射冷暖房ユニットを示す斜視図である。
【図３】図１のIII−III線拡大断面図である。
【図４】図１の輻射冷暖房装置における輻射パネルの長さ方向の端部における拡大横断面図である。
【図５】図１の輻射冷暖房装置における輻射パネルの長さ方向の端部を示す部分拡大斜視図である。
【図６】輻射パネルを吊持装置を介して天井スラブに吊持させる方法を示す図３相当の断面図である。
【図７】図１に示す輻射冷暖房装置において冷房を行う場合の空気の流れを示す図である。
【図８】この発明による吊持装置を介して天井スラブに吊持された輻射パネルを有する輻射冷暖房装置の変形例を示す図である。
【図９】図８の輻射冷暖房装置に用いられる輻射冷暖房ユニットを示す斜視図である。
【図１０】図８のＸ−Ｘ線拡大断面図である。
【図１１】輻射パネルの変形例を示す図５相当の部分拡大斜視図である。
【符号の説明】
【００５２】
(1)：輻射冷暖房ユニット
(2)：天井スラブ
(3)：吊りボルト
(4)：横材
(5)：吊持部材
(6)(30)：輻射パネル
(7)：蛇行状流体流通管
(7a)：直管部
(7b)：屈曲管部
(8)：水平部分
(9)：傾斜部分
(11)：保持部形成用凸条
(12)：管保持部
(13)：吊り部材
(13a)：脚部
(13b)：連結部
(14)：係合部
(15)：係合つめ
【図１】
0004724526.tif 000002
【図２】
0004724526.tif 000003
【図３】
0004724526.tif 000004
【図４】
0004724526.tif 000005
【図５】
0004724526.tif 000006
【図６】
0004724526.tif 000007
【図７】
0004724526.tif 000008
【図８】
0004724526.tif 000009
【図９】
0004724526.tif 000010
【図１０】
0004724526.tif 000011
【図１１】
0004724526.tif 000012